(57)【要約】【課題】耐久性及びカバーを取り付ける機能を向上した矩形紙容器を提供すること。【解決手段】容器本体と、少なくとも一つの積み重ねスロット及び少なくとも一つの空間セパレータを有する。容器本体は矩形であり、矩形ベース、側壁及び補強されたフランジを有する。側壁は環状であり、矩形ベースの周囲に一体的に接続され、矩形ベースに対して選択的に折り上げられる。補強されたフランジは環状であり、側壁に一体的に接続されて側壁を囲み、側壁が折り上げられた後、側壁に対して折り下げられる。積み重ねスロットは矩形ベースを貫通して形成されている。空間セパレータは、容器本体上に接着されて積み重ねスロットを被覆し、容器本体において収容空間を分離する。【選択図】図４
0003142991.tif 000002
【実用新案登録請求の範囲】
【請求項１】
矩形紙容器であって、
容器本体と、
少なくとも一つの積み重ねスロットと、
少なくとも一つの空間セパレータとを備え、
前記容器本体は、矩形であり、
矩形ベースと
側壁と、
補強されたフランジとを有し、
前記矩形ベースは、
上表面と、
底表面と、
二つの平行な第１の縁と、
二つの平行な横縁とを有し、
前記側壁は、環状であり、前記矩形ベースの周囲に一体的であり、前記第１の縁及び横縁に接続され、
前記側壁は、４つの弧状角と、
二つの第１の部分と
二つの第２の部分とを有し、
前記二つの第１の部分は、矩形であり、矩形ベースの第１の縁に対応して一体的に夫々接続され、前記対応された第１の縁に沿って前記矩形ベースに対して選択的に折り上げられ、
前記二つの第２の部分は、前記第２の部分の各々が、前記横縁の内の一つ及び第１の部分の両方に対応して、且つ一体的に接続され、前記対応された横縁に沿って矩形ベースに対して選択的に折り上げられ、
前記二つの第２の部分は、二つの弧状角と、
二つの折り曲げタブとを有し、
前記二つの折り曲げタブは、前記折り曲げタブの各々が、三角形であり、第２の部分と第１の部分の内の一つとの間に一体的に接続され、対応する第１の縁及び横縁に夫々取り付けられた二つの表面を有して前記側壁を前記矩形ベースに対して上方にしっかりと保持し、
前記補強されたフランジは、環状であり、前記側壁に一体的に接続されて側壁を囲み、前記側壁が折り上げられた後に前記側壁に対して折り下げられ、
補強されたフランジは、４つの弧状角と、
４つのスロットと
４つの粘着タブとを有し、
前記４つのスロットは、前記スロットの各々が、前記補強されたフランジを横に貫通して形成され、前記折り曲げタブの内の一つに対応し、
前記４つの粘着タブは、前記粘着タブの各々が、前記スロットの内の一つの一つの縁に対応してそこから突出し、前記スロットの内の対応する一つの対向する縁上に貼り付けられ、
前記少なくとも一つの積み重ねスロットは、前記矩形ベースを貫通して形成され、前記第１の部分に対して夫々延出する二つの端を有し、
前記少なくとも一つの空間セパレータは、鞍状であり、中空であり、前記積み重ねスロットに対応し、前記矩形ベース上に確実に取り付けられ、前記側壁の第１の部分に夫々接続された二つの端を有して前記積み重ねスロットを被覆する、
強化された縁を有する矩形紙容器。
【請求項２】
前記容器本体は、高分子によって被覆された紙から形成され、
前記矩形紙容器は、更に、
前記矩形ベースを貫通して横に形成され、前記空間セパレータ及び前記側壁に対して夫々延出する二つの端を有し、前記積み重ねスロットに対して直角である、少なくとも一つの横スロットと、
鞍状であり、前記少なくとも一つの横スロットに対応し、前記矩形ベース上且つ前記空間セパレータと前記側壁の前記第２の部分の内の一つとの間に確実に取り付けられて前記横スロットを被覆する、少なくとも一つの横セパレータとを有する、
請求項１に記載の強化された縁を有する矩形紙容器。
【請求項３】
前記容器本体は、高分子によって被覆された紙から形成される、請求項１に記載の強化された縁を有する矩形紙容器。
【請求項４】
前記空間セパレータは、前記矩形ベースの上表面及び前記側壁上に取り付けられる、請求項２に記載の強化された縁を有する矩形紙容器。
【請求項５】
前記空間セパレータは、前記積み重ねスロット貫通して取り付けられ、前記矩形ベースの底表面上に取り付けられる、請求項３に記載の強化された縁を有する矩形紙容器。
【請求項６】
前記矩形紙容器は、
前記矩形ベース、及び前記側壁を貫通して平行に形成された二つの積み重ねスロットと、
前記矩形ベースの上表面及び前記側壁上に取り付けられた二つの一体的に接続された空間セパレータと
を有する、請求項３に記載の強化された縁を有する矩形紙容器。
【考案の詳細な説明】
【技術分野】
【０００１】
本考案は紙容器に関し、特に強化された縁を有する矩形紙容器に関する。
【背景技術】
【０００２】
最近の日用品はより環境に優しいことが求められている。例えば使い捨て容器にあっては、プラスチック又はスタイロフォーム（登録商標）に代わって紙シートにより形成されている。
【０００３】
しかしながら、従来の使い捨て容器はその縁部の強度が十分に強くないだけでなく、従来の使い捨て紙容器は、カバーを保持するための部分を有さないためその上に安全にカバーを取り付けることが出来ない。
従って、従来の使い捨て紙容器の応用範囲は狭い範囲に限られている。
【０００４】
本考案は以上の点に鑑みて成されたもので、従来の紙製使い捨て容器の欠点を取り除く又は軽減するため、強化された縁を有する矩形紙容器を提供するものである。
【考案の開示】
【考案が解決しようとする課題】
【０００５】
本考案の主な目的は、矩形紙容器を提供し、耐久性及びカバーを取り付ける機能を向上するものである。
【課題を解決するための手段】
【０００６】
本考案に係る矩形紙容器は、容器本体、少なくとも一つの積み重ねスロット及び少なくとも一つの空間セパレータを備える強化された縁を有する。容器本体は、矩形であり、矩形ベース、側壁及び補強されたフランジを有する。側壁は、環状であり、矩形ベースの周囲に一体的に接続され、矩形ベースに対して選択的に折り上げられる。補強されたフランジは、環状であり、側壁に一体的に接続され、側壁を囲み、側壁が折り上げられた後、側壁に対して折り下げられる。積み重ねスロットは、矩形ベースを貫通して形成される。空間セパレータは、容器本体に接着され、積み重ねスロットを被覆し、容器本体の収容空間を分離する。
【０００７】
本考案のその他の目的、利点及び新規の特徴は、添付図面と併せて説明する以下の詳細な記述からより明らかとなる。
【考案を実施するための最良の形態】
【０００８】
図１、２、５、６、７、８ａ及び１２を参照すると、本考案に係る強化された縁を有する矩形紙容器は、容器本体（１０、１０Ａ）と、少なくとも一つの積み重ねスロット（１２６、１２６Ａ、１２６Ｂ）と、少なくとも一つの空間セパレータ（２０、２０Ａ、１５Ａ，１２８）とを備える。
本考案に係る強化された縁を有する矩形紙容器は、さらに少なくとも一つの横スロット（１２９Ａ）及び少なくとも横セパレータ（１２９）を有してもよい。
【０００９】
容器本体（１０）は、その全体平面形状が略矩形を呈していて、高分子によって被覆された紙から形成される。
容器本体（１０）は、矩形ベース（１２）、側壁（１４）及び補強されたフランジ（１６）を有する。
【００１０】
矩形ベース（１２）は、頂面、底面、二つの平行な縁（１２１）及び二つの平行な横縁（１２２）を有する。
【００１１】
側壁（１４）は環状であり、矩形ベース（１２）の周囲の第１の縁（１２１）及び横縁（１２２）に接続されて一体的に形成される。
側壁（１４）は、４つの弧状角、二つの第１の部分（１４１）及び二つの第２の部分（１４２）を有する。
【００１２】
第１の部分（１４１）は、矩形であり、矩形ベース（１２）の第１の縁（１２１）に対応して、一体的にそれぞれ接続されているとともに、第１の縁（１２１）に沿って矩形ベース（１２）に対して選択的に折り上げられる。
【００１３】
各第２の部分（１４２）は、横縁（１２２）の内の一つ及び第１の部分（１４１）の両方に対応して一体的に接続され、横縁（１２２）の内の一つに沿って矩形ベース（１２）に対して選択的に折り上げられているとともに、二つの弧状角及び二つの折り曲げタブ（１４２２）を有する。
【００１４】
各折り曲げタブ（１４２２）は、三角形であり、第２の部分（１４２）と第１の部分（１４１）の内の一つとの間に一体的に接続され、対応する第１の縁（１２１）と横縁（１２２）にそれぞれ貼り付けられて、矩形ベース（１２）に対して上方に側壁（１４）をしっかりと保持する。
【００１５】
補強されたフランジ（１６）は４つの弧状角、４つのスロット（１６１）、及び４つの粘着タブ（１６２）を有する。
補強されたフランジ（１６）は、環状であり、一体的に側壁（１４）に接続されて側壁（１４）を囲み、側壁（１４）が折り上げられた後、側壁（１４）に対して折り下げられる。
【００１６】
各スロット（１６１）は、補強フランジ（１６）を横に貫通して形成され、折り曲げタブ（１４２２）の内の一つに対応する。
【００１７】
各粘着タブ（１６２）は、スロット（１６１）の内の一つに対応し、スロット（１６１）の縁上に形成されてそこから突出し、スロット（１６１）の他方の縁上へ糊で貼り付けられてスロット（１６１）の縁を接続する。
積み重ねスロット（１２６）は、矩形ベース（１２）を貫通して形成され、夫々第１の部分（１４１）に対して延出する二つの端を有する。
【００１８】
空間セパレータ（２０、２０Ａ、１２８）は、全体形状が鞍状であり、その内部は中空である。空間セパレータ（２０、２０Ａ、１２８）は、積み重ねスロット（１２６）に対応し、矩形ベース（１２）上に確実に取り付けられる。空間セパレータ（２０、２０Ａ、１２８）は、側壁（１４）の第１の部分（１４１）に夫々接続された二つの端を有して積み重ねスロット（１２６）を被覆する。
【００１９】
横スロット（１２９Ａ）は、矩形ベース（１２）を貫通して横に形成される。横スロット（１２９Ａ）は、空間セパレータ（２０、２０Ａ、１２８、１５Ａ）及び側壁（１４）に対してそれぞれ延出する二つの端を有し、積み重ねスロット（１２６）に対して直角である。
【００２０】
横セパレータ（１２９）は、全体形状が鞍状であり、横スロット（１２９Ａ）に対応し、空間セパレータ（２０、２０Ａ、１２８）と側壁（１４）の対応する第２の部分（１４２）との間の矩形ベース（１２）上に確実に取り付けられて横スロット（１２９Ａ）を被覆する。
【００２１】
図３、４及び５に示される本考案の一実施形態では、矩形紙容器は、一つの積み重ねスロット（１２６）及び一つの空間セパレータ（２０）を有する。
空間セパレータ（２０）は、矩形ベース（１２）の上表面上に取り付けられ、側壁（１４）の第１の部分（１４１）に接続され、積み重ねスロット（１２６）を被覆する。
積み重ねスロット（１２６）は、別の矩形紙容器の空間セパレータ（２０）を受け入れて空間セパレータ（２０）へ取り付け、多数の矩形紙容器が積み重ねられることを可能にし、それによって、保管空間を減少する。
【００２２】
図６に示した本考案の第３の実施形態は、一つの積み重ねスロット（１２６Ａ）及び一つの空間セパレータ（２０）を有する。
空間セパレータ（２０）は、矩形ベース（１２）の底表面に取り付けられて、積み重ねスロット（１２６Ａ）を貫通して上方に突出する。
【００２３】
図７に示した本考案の第４の実施形態は、二つの積み重ねスロット（１２６Ｂ）及び二つの一体的に接続された空間セパレータ（２０Ａ）を有する。
積み重ねスロット（１２６Ｂ）は、矩形ベース（１２）を貫通して平行に形成され、側壁（１４）の第１の部分（１４１）に延出する。
一体的に接続された空間セパレータ（２０Ａ）は、矩形ベース（１２）の上表面上に取り付けられ、側壁（１４）の第１の部分（１４１）に接続されて積み重ねスロット（１２６Ｂ）を被覆する。
【００２４】
図８Ａ、８Ｂ及び９に示した本考案の第５の実施形態は、一つの空間セパレータ（１２８）、二つの横スロット（１２９）及び二つの横セパレータ（１２９）を有する。
空間セパレータ（１２８）は、一体的折り曲げ構造であり、容器本体（１０）上に一体的に形成され、容器本体（１０）に対して折り上げられる。
【００２５】
空間セパレータ（１２８）は、二つの分離壁（１２８２）、上表面（１２８４）、二つの分離スロット（１２８８）及び４つの接続タブ（１２８６）を有する。
【００２６】
分離壁（１２８２）は、はしご形状であり、矩形ベース（１２）上の中心折り曲げ可能及び対称的に形成され、矩形ベース（１２）から対称的に折り上げられ、各分離壁（１２８２）は、上縁、底縁及び二つの側縁を有する。底縁は、矩形ベース（１２）に一体的に接続される。
【００２７】
上表面（１２８４）は、先細り端を有する狭いストリップであり、分離壁（１２８２）の上縁間に一体的にそれぞれ接続される。
【００２８】
分離スロット（１２８８）は、第１の部分（１４１）及び補強されたフランジ（１６）を貫通して夫々形成され、空間セパレータ（１２８）に対応して補強されたフランジ（１６）を二つのセクションに分離し、各分離スロット（１２８８）は、二つの縁を有する。
補強されたフランジ（１６）の各セクションは、二つの端を有する。
【００２９】
各接続タブ（１２８６）は、折り曲げ可能且つ三角形であり、分離壁（１２８２）の内の一つの側縁の内の一つと、対応する分離スロット（１２８８）の縁の内の一つとの間に接続され、各接続タブ（１２８６）は折り曲げられ、隣接する第１の部分（１４１）に確実に取り付けられ、従って、補強されたフランジ（１６）のセクションの端は、夫々重複し、互いに確実に取り付けられる。
【００３０】
横スロット（１２９Ａ）は、矩形ベース（１２）を貫通して別々且つ平行に形成され、各々が、第２の部分（１４２）の内の一つ及び分離壁（１２８２）の内の一つに延出する二つの端を有する。
【００３１】
横セパレータ（１２９）は、鞍状であり、第２の部分（１４２）の内の一つと分離壁（１２８２）の内の一つとの間の矩形ベース（１２）上に取り付けられ、横スロット（１２９Ａ）を被覆する。
【００３２】
図１０、１１及び１２に示した本考案の第６の実施形態の容器本体（１０Ａ）は、二つの個別且つ対称的な容器本体セクションから構成され、各々が、空間分離壁（１５Ａ）及び二つの接続角を有する。
接続角は、空間分離壁（１５Ａ）に隣接してそれぞれ形成され、二つの折り曲げタブ（１７Ａ）を折り曲げて接着することによって形成される。
組立時、容器本体セクションは、空間分離壁（１５Ａ）によって互いに対して傾斜して接着される。それによって、接着された空間分離壁（１５Ａ）は、空間セパレータを形成する。
【００３３】
従って、側壁（１４）及び補強されたフランジ（１６）は、交互に折り曲げられるので、側壁（１４）は、補強フランジ（１６）によって強化される。
更に、本考案の実施形態は、補強されたフランジ（１６）が折り下げられ、カバーの縁がその上に取り外し可能に取り付けられることを可能にするので、カバーを取り付けることが出来る。
【００３４】
本考案の数々の特徴及び利点を、本考案の構造及び機能の詳細な説明と共に説明したが、以上の記載は単なる例示に過ぎない。
特に、部品の形状、大きさ及び配置に関しては、本考案の原理内において、適宜変更してもよい。
【図面の簡単な説明】
【００３５】
【図１】本考案の第１の実施形態に係る強化された縁を有する矩形紙容器の斜視図である。
【図２】展開された状態の図１における矩形紙容器の上面図である。
【図３】本考案の第２の実施形態に係る強化された縁を有する矩形紙容器の斜視図である。
【図４】展開された状態の図３における強化された縁を有する矩形紙容器の展開された上面図である。
【図５】図３における矩形紙容器の展開された斜視図である。
【図６】本考案の第３の実施形態に係る強化された縁を有する矩形紙容器の展開された斜視図である。
【図７】本考案の第４の実施形態に係る強化された縁を有する矩形紙容器の展開された斜視図である。
【図８Ａ】本考案の第５の実施形態に係る強化された縁を有する矩形紙容器の斜視図である。
【図８Ｂ】図８Ａにおける矩形紙容器の部分的に展開された斜視図である。
【図９】展開された状態の図８における矩形紙容器の展開された上面図である。
【図１０】本考案の第６の実施形態に係る強化された縁を有する矩形紙容器の展開された斜視図である。
【図１１】展開された状態の図１０における強化された縁を有する矩形紙容器の展開された上面図である。
【図１２】図１０における矩形紙容器の展開された斜視図である。
【図１】
0003142991.tif 000003
【図２】
0003142991.tif 000004
【図３】
0003142991.tif 000005
【図４】
0003142991.tif 000006
【図５】
0003142991.tif 000007
【図６】
0003142991.tif 000008
【図７】
0003142991.tif 000009
【図８Ａ】
0003142991.tif 000010
【図８Ｂ】
0003142991.tif 000011
【図９】
0003142991.tif 000012
【図１０】
0003142991.tif 000013
【図１１】
0003142991.tif 000014
【図１２】
0003142991.tif 000015